【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
人物の顔画像を分類するためのコンピュータ化されたシステムであって、
顔画像を表す値を前記顔画像の個別の顔属性のうちの複数に割り当てるコンピュータ化された顔画像属性面の評価子であって、前記値は形容詞で表される、前記評価子と、
前記個別の顔属性のうちの前記複数に応じて前記顔画像を分類するコンピュータ化された分類子と、
を備える、コンピュータ化されたシステム。
【請求項２】
前記コンピュータ化された顔画像属性面の評価子は、
複数の顔画像に対応する複数種類の格納値を含むデータベースであって、前記顔画像の各々は、前記複数の個別の顔属性のうちの少なくともいくつかを有し、前記個別の顔属性のうちの少なくともいくつかは、顔属性と関連付けられた形容詞で表される前記値を有する、データベース
を備える、請求項１に記載の人物の顔画像を分類するためのコンピュータ化されたシステム。
【請求項３】
前記複数種類の格納値から導出される統計情報を提供する顔属性統計報告機能
をさらに備える、請求項２に記載の人物の顔画像を分類するためのコンピュータ化されたシステム。
【請求項４】
前記コンピュータ化された顔画像属性面の評価子は、
複数種類の格納顔画像及び複数種類の格納値を含むデータベースであって、前記格納顔画像の各々は、前記複数の個別の顔属性のうちの少なくともいくつかを有し、前記個別の顔属性のうちの少なくともいくつかは、顔属性と関連付けられた形容詞で表される前記値を有する、前記データベースと、
属性面及び形容詞面について、前記顔画像の前記複数の個別の顔属性と前記複数種類の格納顔画像とを比較することによって、顔画像と前記複数種類の格納顔画像とを比較する形容詞ベースの比較子と、
を備える、請求項１に記載の人物の顔画像を分類するためのコンピュータ化されたシステム。
【請求項５】
前記形容詞ベースの比較子は、形容詞面について前記データベースへのクエリを行う、請求項４に記載の人物の顔画像を分類するためのコンピュータ化されたシステム。
【請求項６】
前記コンピュータ化された分類子からの出力に応じて、前記出力に対応する格納顔画像のうちの少なくとも１つを識別するように動作可能なコンピュータ化された識別子をさらに備える、請求項１〜５のいずれか一項に記載の人物の顔画像を分類するためのコンピュータ化されたシステム。
【請求項７】
前記コンピュータ化された識別子は、前記出力に対応する格納顔画像のランク付けされたリストを生成するよう動作可能である、請求項６に記載の人物の顔画像を分類するためのコンピュータ化されたシステム。
【請求項８】
ソーシャルネットワークからの情報を前記コンピュータ化された顔画像属性面の評価子に対して利用可能にするためのソーシャルネットワークインタフェースをさらに備える、請求項１〜７のいずれか一項に記載の人物の顔画像を分類するためのコンピュータ化されたシステム。
【請求項９】
前記顔画像に対応する顔モデルを生成するよう動作可能な顔モデル生成機能をさらに備える、請求項１〜８のいずれか一項に記載の人物の顔画像を分類するためのコンピュータ化されたシステム。
【請求項１０】
前記顔画像に対応する顔モデルを生成するよう動作可能な顔モデル生成機能をさらに備え、前記コンピュータ化された識別子は、前記顔モデルを利用する、請求項６に記載の人物の顔画像を分類するためのコンピュータ化されたシステム。
【請求項１１】
人物の顔画像を分類するためのコンピュータ化された方法であって、
顔画像を表す値を前記顔画像の個別の顔属性のうちの複数に割り当てる工程であって、前記値は形容詞で表される、前記工程と、
前記個別の顔属性のうちの前記複数に応じて前記顔画像を分類する工程と
を含む、コンピュータ化された方法。
【請求項１２】
前記顔画像の各々は、前記複数の個別の顔属性のうちの少なくともいくつかを有し、前記個別の顔属性のうちの少なくともいくつかは、顔属性と関連付けられた形容詞で表される前記値を有する、請求項１１に記載の人物の顔画像を分類するためのコンピュータ化された方法。
【請求項１３】
複数種類の格納値から導出される統計情報を提供する工程をさらに含む、請求項１２に記載の人物の顔画像を分類するためのコンピュータ化された方法。
【請求項１４】
格納顔画像の各々は、前記複数の個別の顔属性のうちの少なくともいくつかを有し、前記個別の顔属性のうちの少なくともいくつかは、顔属性と関連付けられた形容詞で表される前記値を有し、
属性面及び形容詞面について、前記顔画像の前記複数の個別の顔属性と前記複数種類の格納顔画像とを比較することによって、顔画像と複数種類の格納顔画像とを比較する工程をさらに含む、請求項１１に記載の人物の顔画像を分類するためのコンピュータ化された方法。
【請求項１５】
前記比較する工程では、形容詞面でデータベースへのクエリを行う、請求項１４に記載の人物の顔画像を分類するためのコンピュータ化された方法。
【請求項１６】
前記分類する工程の出力に対応する格納顔画像のうちの少なくとも１つを識別する工程をさらに含む、請求項１１〜１５のいずれか一項に記載の人物の顔画像を分類するためのコンピュータ化された方法。
【請求項１７】
前記識別する工程では、前記出力に対応する格納顔画像であってランク付けされた格納顔画像のリストを生成するよう動作可能である、請求項１６に記載の人物の顔画像を分類するためのコンピュータ化された方法。
【請求項１８】
ソーシャルネットワークからの情報を前記コンピュータ化された顔画像属性面の評価子に対して利用可能にする工程をさらに含む、請求項１１〜１７のいずれか一項に記載の人物の顔画像を分類するためのコンピュータ化された方法。
【請求項１９】
前記顔画像に対応する顔モデルを生成するよう動作可能な顔モデル生成をさらに含む、請求項１１〜１８のいずれか一項に記載の人物の顔画像を分類するためのコンピュータ化された方法。
【請求項２０】
前記顔画像に対応する顔モデルを生成するよう動作可能な顔モデル生成をさらに含み、前記識別する工程では前記顔モデルを利用する、請求項１６に記載の人物の顔画像を分類するためのコンピュータ化された方法。
【請求項２１】
所定の場所における人物を登録するためのシステムであって、
人物の少なくとも１つの顔画像及び個人識別のうちの少なくとも１つのアイテムを取得する顔画像又は人物識別の取得サブシステムと、
前記人物の前記少なくとも１つの顔画像及び前記個人識別のうちの少なくとも１つのアイテムを受信するコンピュータ化されたサブシステムであって、
前記少なくとも１つの顔画像に対応する顔モデルを生成するよう動作可能な顔モデル生成機能、及び、形容詞で表される値を前記顔画像の複数の顔属性に割り当てるよう動作可能な画像から属性へのマッピング機能を備える、前記コンピュータ化されたサブシステムと、
複数の前記人物に対する情報及び顔属性の前記値を格納するデータベースと、
を備える、システム。
【請求項２２】
前記コンピュータ化されたサブシステムは、
顔属性の値の集合を用いて対応する格納顔画像を識別することによって、前記顔モデルを用いて特定の人物を識別するよう動作可能な属性から画像へのマッピング機能をさらに備える、請求項２１に記載の所定の場所における人物を登録するためのシステム。
【請求項２３】
前記コンピュータ化されたサブシステムは、
前記顔モデルと前記顔属性の値の集合とを組み合わせて、対応する格納値の集合と一致し得る値の合成集合を形成することによって、特定の人物を識別するよう動作可能な値合成部をさらに備える、請求項２１に記載の所定の場所における人物を登録するためのシステム。
【請求項２４】
少なくとも１つの顔画像を取得し、該取得した顔画像を前記コンピュータ化されたサブシステムに供給する後続の顔画像取得サブシステムをさらに備え、
前記コンピュータ化されたサブシステムは、
前記後続の顔画像に対応する顔モデルを作成し、
形容詞で表される値を前記後続の顔画像の複数の顔属性に割り当て、
対応する格納顔画像及び前記後続の顔画像を特定の人物として識別するよう動作可能であり、個人識別のうちの少なくとも１つのアイテムは、前記データベースに格納されて
いる人物に関連する、請求項２２又は２３に記載の所定の場所における人物を登録するためのシステム。
【請求項２５】
少なくとも１つの顔画像を取得し、該取得した顔画像を前記コンピュータ化されたサブシステムに供給する後続の顔画像取得サブシステムをさらに備え、
前記コンピュータ化されたサブシステムは、
前記後続の顔画像に対応する顔モデルを作成し、
形容詞で表される値を前記後続の顔画像の複数の顔属性に割り当て、
対応する格納顔画像及び前記後続の顔画像を特定の人物として識別するよう動作可能であり、個人識別のうちの少なくとも１つのアイテムは、前記データベースに格納されている人物に関連しており、前記値合成部を利用して、前記顔モデルと前記後続の顔画像に対応する前記値の集合とを組み合わせることによって、前記特定の人物を識別する、請求項２３に記載の所定の場所における人物を登録するためのシステム。
【請求項２６】
前記人物の前記個人識別のうちの少なくとも１つのアイテムは、事前登録データから入手される、請求項２１〜２５のいずれか一項に記載の所定の場所における人物を登録するためのシステム。
【請求項２７】
ソーシャルネットワークからの情報を前記コンピュータ化されたサブシステムに対して利用可能にするためのソーシャルネットワークインタフェースをさらに備える、請求項２１〜２６のいずれか一項に記載の所定の場所における人物を登録するためのシステム。
【請求項２８】
前記顔画像又は人物識別の取得サブシステムは、前記サブシステムと情報のやり取りを行う人物以外の人物の少なくとも１つの顔画像及び個人識別のうちの少なくとも１つのアイテムを取得するよう動作可能である、請求項２４〜２７のいずれか一項に記載の所定の場所における人物を登録するためのシステム。
【請求項２９】
前記顔画像又は人物識別の取得サブシステムは、前記サブシステムと情報のやり取りを行う人物以外の、他の識別されていない人物の少なくとも１つの顔画像を取得するよう動作可能である、請求項２１〜２７のいずれか一項に記載の所定の場所における人物を登録するためのシステム。
【請求項３０】
顔画像を表す値を前記顔画像の個別の顔属性のうちの複数に割り当てるコンピュータ化された顔画像属性面の評価子であって、前記値は形容詞で表される、評価子と、
前記個別の顔属性のうちの前記複数に応じて前記顔画像を分類するコンピュータ化された分類子と、
によって具体化される、請求項２１〜２９のいずれか一項に記載の所定の場所における人物を登録するためのシステム。
【請求項３１】
所定の場所における人物の繰り返し出現を認識するためのシステムであって、
人物の少なくとも１つの顔画像を取得する顔画像又は人物識別の取得サブシステムと、
前記少なくとも１つの顔画像を受信するコンピュータ化されたサブシステムであって、
前記少なくとも１つの顔画像に対応する顔モデルを生成するよう動作可能な顔モデル生成機能、及び、形容詞で表される値を前記顔画像の複数の顔属性に割り当てるよう動作可能な画像から属性へのマッピング機能を備える、前記コンピュータ化されたサブシステムと、
複数の前記人物に対する情報及び顔属性の前記値を格納するデータベースと、
を備える、システム。
【請求項３２】
前記コンピュータ化されたサブシステムは、
顔属性の値の集合を用いて、前記顔モデルを用いて、特定の人物と関連付けられた対応する格納顔画像を識別するよう動作可能な属性から画像へのマッピング機能をさらに備える、請求項３１に記載の所定の場所における人物の繰り返し出現を認識するためのシステム。
【請求項３３】
コンピュータ化されたサブシステムは、
前記顔モデルと前記顔属性の値の集合とを組み合わせて、対応する格納値の集合と一致し得る値の合成集合を形成するよう動作可能な値合成部
をさらに備える、請求項３１に記載の所定の場所における人物の繰り返し出現を認識するためのシステム。
【請求項３４】
少なくとも１つの顔画像を取得し、該取得した顔画像を前記コンピュータ化されたサブシステムに供給する後続の顔画像取得サブシステムをさらに備え、
前記コンピュータ化されたサブシステムは、
特定の人物の繰り返し出現を認識するため、前記後続の顔画像に対応する顔モデルを作成し、
形容詞で表される値を前記後続の顔画像の複数の顔属性に割り当て、
対応する格納顔画像及び前記後続の顔画像を特定の人物の顔画像であるとして識別するよう動作可能である、請求項３２又は３３に記載の所定の場所における人物の繰り返し出現を認識するためのシステム。
【請求項３５】
少なくとも１つの顔画像を取得し、該取得した顔画像を前記コンピュータ化されたサブシステムに供給する後続の顔画像取得サブシステムをさらに備え、
前記コンピュータ化されたサブシステムは、
特定の人物の繰り返し出現を認識するため、前記後続の顔画像に対応する顔モデルを作成し、
形容詞で表される値を前記後続の顔画像の複数の顔属性に割り当て、
対応する格納顔画像及び前記後続の顔画像を特定の人物の顔画像であるとして識別するよう動作可能であり、前記値合成部を使用して、前記顔モデルと前記後続の顔画像に対応する前記値の集合とを組み合わせることによって、人物の度重なる出現を認識する、請求項３３に記載の所定の場所における人物の繰り返し出現を認識するためのシステム。
【請求項３６】
所定の場所に繰り返し出現する人物に関する属性面の統計を生成するために、前記顔モデル及び前記値の集合を利用する繰り返し出現統計生成子をさらに備える、請求項３１〜３５のいずれか一項に記載の所定の場所における人物の繰り返し出現を認識するためのシステム。
【請求項３７】
ソーシャルネットワークからの情報を前記コンピュータ化されたサブシステムに対して利用可能にするためのソーシャルネットワークインタフェースをさらに備える、請求項３１〜３６のいずれか一項に記載の所定の場所における人物の繰り返し出現を認識するためのシステム。
【請求項３８】
前記顔画像又は人物識別の取得サブシステムは、前記サブシステムと情報のやり取りを行う人物以外の人物の少なくとも１つの顔画像及び個人識別のうちの少なくとも１つのアイテムを取得するよう動作可能である、請求項３１〜３７のいずれか一項に記載の所定の場所における人物の繰り返し出現を認識するためのシステム。
【請求項３９】
前記顔画像又は人物識別の取得サブシステムは、前記サブシステムと情報のやり取りを行う人物以外の、他の識別されていない人物の少なくとも１つの顔画像を取得するよう動作可能である、請求項３１〜３７のいずれか一項に記載の所定の場所における人物の繰り
返し出現を認識するためのシステム。
【請求項４０】
顔画像を表す値を前記顔画像の個別の顔属性のうちの複数に割り当てるコンピュータ化された顔画像属性面の評価子であって、前記値は形容詞で表される、前記評価子と、
前記個別の顔属性のうちの前記複数に応じて前記顔画像を分類するコンピュータ化された分類子と、
によって具体化される、請求項３１〜３９のいずれか一項に記載の所定の場所における人物の繰り返し出現を認識するためのシステム。
【請求項４１】
各々が形容詞で表される値を顔画像の個別の顔属性のうちの複数に割り当てることができるコンピュータ化された顔画像属性面の評価子を生成するための方法であって、
複数種類の顔画像を集める工程であって、各々は、顔画像と関連付けられた、形容詞によって特徴付けられる少なくとも１つの顔画像属性を有する、前記工程と、
評価すべき顔画像の個別の顔属性のうちの複数に割り当てるために、前記評価すべき顔画像を受信し、前記集める工程の結果を利用するよう動作可能な機能を生成する工程であって、前記値は形容詞で表される、前記工程と
を含む、方法。
【請求項４２】
前記集める工程は、
複数種類の顔画像を収集する工程であって、顔画像の各々は、公衆に利用可能な情報源からの、顔画像と関連付けられた形容詞によって特徴付けられる少なくとも１つの顔画像属性を有する、前記工程と、
クラウドソーシングを使用して、前記複数種類の顔画像に現れる形容詞と顔属性との間の一致度を高める工程と、
を含む、請求項４１に記載のコンピュータ化された顔画像属性面の評価子を生成するための方法。
【請求項４３】
前記クラウドソーシングは、
複数の個人に前記複数種類の顔画像のうちの複数及び前記形容詞を閲覧させるとともに、前記複数種類の画像のうちの前記複数における前記形容詞と前記顔属性との間の一致度に対する該複数の個人の見解を示させる工程
を含む、請求項４２に記載のコンピュータ化された顔画像属性面の評価子を生成するための方法。
【請求項４４】
前記値は数値である、請求項４１〜４３のいずれか一項に記載のコンピュータ化された顔画像属性面の評価子を生成するための方法。
【請求項４５】
少なくとも１つの刺激に対するユーザ反応を認識するためのシステムであって、
刺激に対するユーザ反応に対応する時点に入手された顔画像を表す値を前記顔画像の個別の顔属性のうちの複数に割り当てるコンピュータ化された顔画像属性面の評価子であって、前記値は形容詞で表される、前記評価子と、
前記個別の顔属性のうちの前記複数に応じて前記顔画像を分類するコンピュータ化された分類子と、
を備える、システム。
【請求項４６】
前記個別の顔属性のうち、前記少なくとも１つの刺激の適用前及び適用後の個別の顔属性を比較するコンピュータ化された属性比較子をさらに備える、請求項４５に記載の少なくとも１つの刺激に対するユーザ反応を認識するためのシステム。
【請求項４７】
少なくとも１つの刺激に対するユーザ反応を認識するための方法であって、
刺激に対するユーザ反応に対応する時点に入手された顔画像を表す値を前記顔画像の個別の顔属性のうちの複数に割り当てる工程であって、前記値は形容詞で表される、前記工程と、
前記個別の顔属性のうちの前記複数に応じて前記顔画像を分類する工程と、
を含む、方法。
【請求項４８】
前記個別の顔属性のうち、前記少なくとも１つの刺激の適用前及び適用後の個別の顔属性を比較する工程をさらに含む、請求項４５に記載の少なくとも１つの刺激に対するユーザ反応を認識するための方法。
【請求項４９】
人物を分類するためのコンピュータ化されたシステムであって、
人物が特定の時点に特定の状況に存在する確率を表す関係係数を生成する関係係数生成子と、
前記関係係数のうちの前記複数に応じて前記人物を分類するコンピュータ化された分類子と、
を備える、システム。
【請求項５０】
前記状況は地理的な場所及び事象のうちの１つである、請求項４９に記載の人物を分類するためのコンピュータ化されたシステム。
【請求項５１】
前記関係係数は値と減衰関数とを含む、請求項４９又は５０に記載の人物を分類するためのコンピュータ化されたシステム。
【請求項５２】
前記減衰関数は一次関数である、請求項５１に記載の人物を分類するためのコンピュータ化されたシステム。
【請求項５３】
前記減衰関数は指数関数である、請求項５１に記載の人物を分類するためのコンピュータ化されたシステム。
【請求項５４】
前記状況は階層的な状況の階層のうちの１つである、請求項４９〜５３のいずれか一項に記載の人物を分類するためのコンピュータ化されたシステム。
【請求項５５】
状況の階層の状況の関係係数は相互依存する、請求項５１に記載の人物を分類するためのコンピュータ化されたシステム。
【請求項５６】
前記関係係数生成子は、複数の人物が少なくとも第１の状況に一緒に存在し、第２の状況で前記複数の人物間における相互依存関係係数を生成する場合に動作可能である、請求項４９〜５５のいずれか一項に記載の人物を分類するためのコンピュータ化されたシステム。
【請求項５７】
個別の顔属性のうちの複数に応じて顔画像を分類するコンピュータ化された分類子をさらに備える、請求項４９に記載の人物を分類するためのコンピュータ化されたシステム。